(57)【要約】【課題】盗難防止能力を向上させる効果を有する錠前を提供することにある。【解決手段】シリンダー１と、鍵棒体２と、鍵部品３とを含み、シリンダー１は鍵穴１１及びピン１２を有する。鍵穴１１はシリンダー１の作動表面から内部へ延伸し、ピン１２はシリンダー１の内に設置され、その一部が鍵穴１１の内周面へ突出する。鍵棒体２は案内端２ａ及び制御端２ｂを有し、かつ搭載部２１及び案内塊２２を有する。搭載部２１は案内端２ａと制御端２ｂとの間に設置され、案内塊２２は案内端２ａに設置される。鍵棒体２は摺動自在に鍵穴１１内に設置され、かつ案内端２ａは鍵穴１１の内に位置する。制御端２ｂは鍵穴１１の外部に位置し、鍵部品３は着脱自在に鍵棒体２の搭載部２１に結合される。鍵部品３は鍵棒体２の摺動により前記ピン１２に当接し、或いは当接しない。【選択図】図１
2016142128.tif 000002
【特許請求の範囲】
【請求項１】
シリンダーと、鍵棒体と、鍵部品とを含む錠前であって、
前記シリンダーは鍵穴及びピンを有し、前記鍵穴は前記シリンダーの作動表面から内部へ延伸し、かつ内周面を有し、前記ピンは前記シリンダーの内部に設置され、かつその一部が前記鍵穴の内周面へ突出し、
前記鍵棒体は案内端及び制御端を有し、かつ前記鍵棒体は搭載部及び案内塊を有し、前記搭載部は前記案内端と前記制御端との間に設置され、前記案内塊は前記案内端に設置され、前記鍵棒体は摺動自在に前記鍵穴の内部に設置され、かつ前記案内端は前記鍵穴の内部に位置し、前記制御端は前記鍵穴の外部に位置し、
前記鍵部品は着脱自在に前記鍵棒体の前記搭載部に結合され、かつ前記鍵部品は前記鍵棒体の摺動により前記ピンに当接し、或いは当接しないことを特徴とする錠前。
【請求項２】
前記鍵穴が溝を有し、前記鍵棒体が前記溝を沿って摺動し、前記溝がブロックを有し、前記鍵棒体が位置制限ブロックを有し、前記ブロックが前記位置制限ブロックを係止することを特徴とする請求項１に記載の錠前。
【請求項３】
前記ブロックが前記溝において前記シリンダーの前記作動表面に近接する端に位置し、前記位置制限ブロックが前記鍵棒体の前記案内端に位置することを特徴とする請求項２に記載の錠前。
【請求項４】
前記搭載部が凹溝であることを特徴とする請求項１に記載の錠前。
【請求項５】
さらにグリップを有し、前記グリップが前記鍵棒体の前記制御端に結合されることを特徴とする請求項１に記載の錠前。
【請求項６】
前記グリップが枢結方式により前記鍵棒体の前記制御端に結合されることを特徴とする請求項５に記載の錠前。
【請求項７】
前記案内塊が突出して前記搭載部に隣接することを特徴とする請求項１に記載の錠前。
【請求項８】
前記案内塊が差込案内部を有し、前記差込案内部において前記案内端に近接する側に第一差込端を有し、前記差込案内部において前記案内端から離れる側に第二差込端を有し、前記第一差込端から前記鍵穴の前記内周面までの間に第一の距離を有し、前記第二差込端から前記鍵穴の前記内周面までの間に第二の距離を有し、前記第一の距離が前記第二の距離より長いことを特徴とする請求項１に記載の錠前。
【請求項９】
前記案内塊が抜出案内部を有し、前記抜出案内部において前記案内端に近接する側に第一抜出端を有し、前記抜出案内部において前記案内端から離れる側に第二抜出端を有し、前記第一抜出端から前記鍵穴の前記内周面までの間に第一の間隔を有し、前記第二抜出端から前記鍵穴の前記内周面までの間に第二の間隔を有し、前記第一の間隔が前記第二の間隔より狭いことを特徴とする請求項１又は８に記載の錠前。
【発明の詳細な説明】
【技術分野】
【０００１】
本発明は錠前に関し、特に、鍵棒体を用いて鍵穴を覆う錠前に係るものである。
【背景技術】
【０００２】
従来の錠前はシリンダー及び鍵を含み、前記シリンダーは表面から内部まで貫通する鍵穴を有し、利用者が前記鍵を前記鍵穴に差し込む際、前記鍵を前記鍵穴の内部のピンに当接させることにより、シリンダーを動かし施錠状態や開錠状態にすることができる（例えば特許文献１参照）。
【先行技術文献】
【特許文献】
【０００３】
【特許文献１】中華民国公告第M４２１３６１号公報
【発明の概要】
【発明が解決しようとする課題】
【０００４】
従来の錠前は前記鍵により前記シリンダーを動かすことができるが、前記鍵を前記鍵穴から抜き出した後、前記錠前の鍵穴が露出することになり、不審者が前記鍵穴から前記錠前の内部を覗けば、前記不審者が前記錠前の内部のピン構造を推し量り、さらに解錠用具を用いて前記鍵穴に差し込んで解錠する場合がある。鍵穴が露出している従来の錠前については、盗難防止能力に劣る問題があった。
【０００５】
これに鑑みて、本発明は、従来の錠前が盗難防止能力に劣るという問題を解決できる錠前を提供する。
【課題を解決するための手段】
【０００６】
本発明は、鍵棒体を用いて鍵穴を覆い、盗難防止能力を向上させる効果を有する錠前を提供することを目的とする。
【０００７】
本発明によれば、シリンダーと、鍵棒体と、鍵部品とを含む錠前であって、前記シリンダーは鍵穴及びピンを有し、前記鍵穴は前記シリンダーの作動表面から内部へ延伸し、かつ内周面を有し、前記ピンは前記シリンダーの内部に設置され、かつその一部が前記鍵穴の内周面へ突出し、前記鍵棒体は案内端及び制御端を有し、かつ前記鍵棒体は搭載部及び案内塊を有し、前記搭載部は前記案内端と前記制御端との間に設置され、前記案内塊は前記案内端に設置され、前記鍵棒体は摺動自在に前記鍵穴の内部に設置され、かつ前記案内端は前記鍵穴の内部に位置し、前記制御端は前記鍵穴の外部に位置し、前記鍵部品は着脱自在に前記鍵棒体の前記搭載部に結合され、かつ前記鍵部品は前記鍵棒体の摺動により前記ピンに当接し、或いは当接しないことを特徴とする錠前が提供され、これにより盗難防止能力を向上させる効果を有する。
【０００８】
本発明の錠前は、前記鍵穴が溝を有し、前記鍵棒体が前記溝に沿って摺動し、前記溝がブロックを有し、前記鍵棒体が位置制限ブロックを有し、前記ブロックが前記溝の前記位置制限ブロックを係止することを特徴とする。これにより盗難防止能力を向上させる効果を有する。
【０００９】
本発明の錠前は、前記ブロックが前記溝における前記シリンダーの前記作動表面に近接する端に位置し、前記位置制限ブロックが前記鍵棒体の前記案内端に位置することを特徴とする。これにより盗難防止能力を向上させる効果を有する。
【００１０】
本発明の錠前は、前記搭載部が凹溝であることを特徴とする。これにより前記鍵部品の設置安定性を向上させる効果を有する。
【００１１】
本発明の錠前は、さらにグリップを有し、前記グリップが前記鍵棒体の前記制御端に結合されることを特徴とする。これにより使用利便性を向上させる効果を有する。
【００１２】
本発明の錠前は、前記グリップが枢結方式により前記鍵棒体の前記制御端に結合されることを特徴とする。これにより使用利便性を向上させる効果を有する。
【００１３】
本発明の錠前は、前記案内塊が突出して前記搭載部に隣接することを特徴とする。これにより盗難防止能力を向上させる効果を有する。
【００１４】
本発明の錠前は、前記案内塊が差込案内部を有し、前記差込案内部において比較的に前記案内端に近接する側に第一差込端を有し、前記差込案内部において比較的に前記案内端から離れる側に第二差込端を有し、前記第一差込端から前記鍵穴の前記内周面までの間に第一の距離を有し、前記第二差込端から前記鍵穴の前記内周面までの間に第二の距離を有し、前記第一の距離が前記第二の距離より長いことを特徴とする。これにより使用利便性を向上させる効果を有する。
【００１５】
本発明の錠前は、前記案内塊が抜出案内部を有し、前記抜出案内部において比較的に前記案内端に近接する側に第一抜出端を有し、前記抜出案内部において比較的に前記案内端から離れる側に第二抜出端を有し、前記第一抜出端から前記鍵穴の前記内周面までの間に第一の間隔を有し、前記第二抜出端から前記鍵穴の前記内周面までの間に第二の間隔を有し、前記第一の間隔が前記第二の間隔より狭いことを特徴とする。これにより使用利便性を向上させる効果を有する。
【発明の効果】
【００１６】
本発明により、前記鍵棒体を前記鍵穴から外さず、前記鍵棒体及びその案内塊により前記鍵穴を適度に覆うため、不審者が前記鍵穴を覗いたり、解錠用具を用いて前記鍵穴に差し込んで解錠したりすることを防ぐことができ、盗難防止能力を向上させる効果を有する。
【図面の簡単な説明】
【００１７】
【図１】本発明の錠前の一部を断面した分解斜視図。
【図２】本発明の錠前の一部を断面した斜視図。
【図３】本発明の錠前の局部断面図。
【図４】本発明の錠前の使用状態を表す斜視図。
【発明を実施するための形態】
【００１８】
本発明の実施の一形態について、以下、図面を参照して説明する。
【００１９】
図１に示されるように、本発明の錠前はシリンダー１、鍵棒体２及び鍵部品３を含み、前記鍵棒体２は前記シリンダー１に摺動自在に結合され、前記鍵部品３は前記鍵棒体２に着脱自在に結合される。
【００２０】
前記シリンダー１は鍵穴１１及びピン１２を有し、前記鍵穴１１は前記シリンダー１の作動表面から内部へ延伸し、かつ内周面１１１及び溝１１２を有し、前記ピン１２は前記シリンダー１の内部に設置され、かつその一部が前記鍵穴１１の内周面１１１へ突出する。また、前記鍵穴１１の前記溝１１２はブロック１１２ａを有し、かつ前記ブロック１１２ａは前記溝１１２において前記シリンダー１の作動表面に近接する端に位置することが好ましい。
【００２１】
前記鍵棒体２は案内端２ａ及び制御端２ｂを有し、かつ前記鍵棒体２は搭載部２１及び案内塊２２を有し、前記搭載部２１は前記案内端２ａと前記制御端２ｂとの間に設置され、前記案内塊２２は前記案内端２ａに設置され、前記鍵棒体２は摺動自在に前記鍵穴１１の内部に設置され、かつ前記案内端２ａは前記鍵穴１１の内部に位置し、前記制御端２ｂは鍵穴１１の外部に位置する。すなわち、前記鍵棒体２は前記鍵穴１１から外れないように前記鍵穴１１の内部に設置される。これにより、前記鍵棒体２が前記鍵穴１１から外れない状況において、前記鍵棒体２及びその案内塊２２が適度に前記鍵穴１１を覆うため、不審者が前記鍵穴１１を覗いたり、解錠用具を用いて前記鍵穴１１に差し込んで解錠したりすることを防ぐことができ、盗難防止能力を向上させる効果を有する。
【００２２】
なお、前記搭載部２１は凹溝であってもよく、前記凹溝が前記鍵部品３を嵌合するために用いられ、前記鍵部品３の設置安定性を向上させる効果を有する。かつ、本実施例において、前記案内塊２２は突出して前記搭載部２１に隣接しており、前記設置により、前記搭載部２１に前記鍵部品３が設置されていない場合、前記案内塊２２により前記鍵穴１１を適度に覆い、不審者が前記鍵穴１１を覗いたり、解錠用具を用いて前記鍵穴１１に差し込んで解錠したりすることを防ぎ、盗難防止能力を向上させる効果を有する。
【００２３】
図１〜３に示されるように、さらに詳しく述べると、前記案内塊２２は、前記鍵棒体２が摺動する過程において、前記内周面１１１より前記鍵穴１１に差し込む前記ピン１２の影響でスムーズに摺動できないことを防ぐように、前記鍵棒体２の摺動により前記ピン１２に接触し、或いは接触しない。詳しく述べると、本実施例において、前記案内塊２２は差込案内部２２１を有し、前記差込案内部２２１において比較的に前記案内端２ａに近接する側に第一差込端２２１ａを有し、前記差込案内部２２１において比較的に前記案内端２ａから離れる側に第二差込端２２１ｂを有し、前記第一差込端２２１ａから前記鍵穴１１の前記内周面１１１までの間に第一の距離を有し、前記第二差込端２２１ｂから前記鍵穴１１の前記内周面１１１までの間に第二の距離を有し、前記第一の距離が前記第二の距離より長い。これにより、前記鍵棒体２を前記鍵穴１１に差し込む方式で摺動させる際、前記差込案内部２２１が前記ピン１２に接触して前記ピン１２を押し、前記鍵棒体２をスムーズに前記鍵穴１１に差し込む方式で摺動させることができ、使用利便性を向上させる効果を有する。
【００２４】
また、前記案内塊２２はさらに抜出案内部２２２を有しても良く、前記抜出案内部２２２において比較的に前記案内端２ａに近接する側に第一抜出端２２２ａを有し、前記抜出案内部２２２において比較的に前記案内端２ａから離れる側に第二抜出端２２２ｂを有し、前記第一抜出端２２２ａから前記鍵穴１１の前記内周面１１１までの間に第一の間隔を有し、前記第二抜出端２２２ｂから前記鍵穴１１の前記内周面１１１までの間に第二の間隔を有し、前記第一の間隔が前記第二の間隔より狭い。これにより、前記鍵棒体２を前記鍵穴１１から抜き出す方式で摺動させる際、前記抜出案内部２２２が前記ピン１２に接触して前記ピン１２を押し、前記鍵棒体２をスムーズに前記鍵穴１１から抜き出す方式で摺動させることができ、使用利便性を向上させる効果を有する。
【００２５】
さらに、前記鍵穴１１の前記溝１１２に前記ブロック１１２ａを有する場合、前記鍵棒体２はさらに位置制限ブロック２３を有することが好ましく、かつ前記位置制限ブロック２３は前記鍵棒体２の前記案内端２ａに位置する。なお、前記位置制限ブロック２３の設置数は限定されず、本実施例において、前記位置制限ブロック２３は数量が二個であってかつ前記鍵棒体２にて相対する側に位置しても良く、また、前記ブロック１１２ａも前記位置制限ブロック２３の設置形態に対応して設置されることができ、これについては当業者が容易に理解できるため、ここではその説明を省略する。これにより、前記鍵棒体２が前記鍵穴１１の内部に設置される場合、前記鍵棒体２の前記案内端２ａが前記ブロック１１２ａに接近する際、前記鍵棒体２が前記鍵穴１１から外れないように、前記ブロック１１２ａは前記溝１１２の前記位置制限ブロック２３を係止することができ、さらに前記鍵棒体２及びその案内塊２２により前記鍵穴１１を適度に覆い、不審者が前記鍵穴１１を覗いたり、解錠用具を用いて前記鍵穴１１に差し込んで解錠したりすることを防ぎ、盗難防止能力を向上させる効果を有する。
【００２６】
前記鍵部品３は着脱自在に前記鍵棒体２の搭載部２１に結合され、かつ前記鍵部品３は前記鍵棒体２の摺動により前記ピン１２に当接し、或いは当接しない。前記鍵部品３が前記鍵棒体２の摺動により前記ピン１２に当接する場合、前記鍵部品３が前記シリンダー１を動かし、施錠状態或いは開錠状態にすることができる。
【００２７】
図１〜４に示されるように、本発明の錠前はさらにグリップ４を有することが好ましく、前記グリップ４は前記鍵棒体２の前記制御端２ｂに結合され、本実施例において、前記グリップ４は枢結方式により前記鍵棒体２の前記制御端２ｂに結合される。これにより、利用者は前記グリップ４を持ち、前記鍵棒体２が前記シリンダー１に対して摺動または回転することを制御し、かつ、前記鍵棒体２を前記鍵穴１１に差し込む場合、前記グリップ４を前記シリンダー１側へ回動させることができ、これにより前記グリップ４において前記シリンダー１の外部へ突出する長さを減少し、使用利便性を向上させる効果を有する。
【００２８】
全体的に言うと、利用者が本発明の錠前を使用しようとする際、利用者は前記鍵部品３を前記鍵棒体２の前記搭載部２１に設置し、前記鍵棒体２を前記鍵穴１１に差し込む方式で摺動させ、前記鍵部品３が正確な位置にて前記ピン１２に当接した後、利用者は前記鍵棒体２を回転させて前記シリンダー１を動かすことができる。また、利用者が前記鍵棒体２を用いて前記シリンダー１を動かして施錠状態にした後、利用者は前記鍵棒体２を前記鍵穴１１から抜き出す方式で摺動させ、前記鍵部品３が前記鍵穴１１から露出した後、前記搭載部１１から前記鍵部品３を取り外し、前記鍵棒体２を差し込む方式で前記鍵穴１１に摺動させる。この場合、不審者が解錠しようとする際、前記不審者が前記鍵棒体２をいかに摺動させても、前記鍵棒体２が前記鍵穴１１から外れない状況で、前記鍵棒体２及びその案内塊２２が常に前記鍵穴１１を覆うため、前記不審者は前記鍵穴１１から内部の前記ピン１２を覗くことも、解錠用具を前記鍵穴１１に差し込んで解錠することもできないので、盗難防止能力を向上させる効果を有する。
【００２９】
以上により、本発明の錠前は、前記鍵棒体２を前記鍵穴１１から外さず、前記鍵棒体２及びその案内塊２２により前記鍵穴１１を適度に覆うため、不審者が前記鍵穴１１を覗いたり、解錠用具を用いて前記鍵穴１１に差し込んで解錠したりすることを防ぐことができ、盗難防止能力を向上させる効果を有する。
【００３０】
本発明は、その精神と必須の特徴事項から逸脱することなく他のやり方で実施することができる。従って、本明細書に記載した好ましい実施形態は例示的なものであり、本発明の範囲を限定するものではない。
【符号の説明】
【００３１】
１        シリンダー
１１      鍵穴
１１１    内周面
１１２    溝
１１２ａ  ブロック
１２      ピン
２        鍵棒体
２ａ      案内端
２ｂ      制御端
２１      搭載部
２２      案内塊
２２１    差込案内部
２２１ａ  第一差込端
２２１ｂ  第二差込端
２２２    抜出案内部
２２２ａ  第一抜出端
２２２ｂ  第二抜出端
２３      位置制限ブロック
３        鍵部品
４        グリップ
【図１】
2016142128.tif 000003
【図２】
2016142128.tif 000004
【図３】
2016142128.tif 000005
【図４】
2016142128.tif 000006